(57)【特許請求の範囲】
【請求項１】
複数のメディカル・プロシージャ・ツール；
ラップされたツールを形成するために、前記複数のメディカル・プロシージャ・ツールの周りにラップされるカバー；
前記ラップされたツールの全周に配置された外容器；及び
前記外容器と前記ラップされたツールとの間に配置された少なくとも１つのシートであって、前記複数のメディカル・プロシージャ・ツールのリストと、前記複数のメディカル・プロシージャ・ツールのうち少なくとも１つに関するエンドユーザが選択可能な未選択のフィールドとを含む少なくとも１つのシート；
を備えた、キットであって、
前記外容器及び前記シートのうちの少なくとも１つは、第１のマーカを含み、前記第１のマーカは、前記複数のメディカル・プロシージャ・ツールの少なくとも１つのバリア保護レベルを示す色を含む、キット。
【請求項２】
前記複数のメディカル・プロシージャ・ツールは、特定のジャンルのメディカル・プロシージャに特に関連する、請求項１記載のキット。
【請求項３】
前記複数のメディカル・プロシージャ・ツールは、
手術室のタオルと、
ガウンと、
ドレープと、
吸込チューブと、
吸引チップと、
のうちの少なくとも１つを含む、請求項１記載のキット。
【請求項４】
前記複数のメディカル・プロシージャ・ツールは、
プラスチック製容器と、
注射器と、
ニードルと、
外科器具と、
のうちの少なくとも１つを含む、請求項３記載のキット。
【請求項５】
前記複数のメディカル・プロシージャ・ツールのうち少なくとも１つは、滅菌されている、請求項１記載のキット。
【請求項６】
前記外容器は、少なくとも実質的に透明である少なくとも一部分を有し、前記シートは、少なくとも実質的に透明である前記少なくとも一部分を介して目に見えるように配置される、請求項１記載のキット。
【請求項７】
前記外容器は、プラスチック製シートから構成される、請求項６記載のキット。
【請求項８】
前記外容器は、前記複数のメディカル・プロシージャ・ツールが特に関連する特定のジャンルのメディカル・プロシージャを示す色を含む、請求項１記載のキット。
【請求項９】
前記外容器は、前記特定のジャンルのメディカル・プロシージャをさらに示すためのテキストをさらに含む、請求項８記載のキット。
【請求項１０】
前記シートは、前記特定のジャンルのメディカル・プロシージャを示す前記色に合致する色を含む、請求項８記載のキット。
【請求項１１】
前記外容器及び前記シートのうちの少なくとも１つは、第２のマーカを含み、前記第２のマーカは、前記複数のメディカル・プロシージャ・ツールが特に関連する特定のジャンルのメディカル・プロシージャを示す色を含む、請求項１記載のキット。
【請求項１２】
前記複数のメディカル・プロシージャ・ツールの前記リストは、前記複数のメディカル・プロシージャ・ツールの各々ごとに、前記エンドユーザが選択可能な未選択のフィールドを含む、請求項１記載のキット。
【請求項１３】
前記エンドユーザが選択可能な未選択のフィールドは、未チェックのチェックボックスを含む、請求項１記載のキット。
【請求項１４】
前記シートは、前記エンドユーザが選択可能な未選択のフィールドの目的を識別するためのテキストをさらに含む、請求項１記載のキット。
【請求項１５】
前記目的は、前記キット内の他のメディカル・プロシージャ・ツールが使用されたメディカル・プロシージャの間に、使用されなくなった特定のメディカル・プロシージャ・ツールを識別することである、請求項１４記載のキット。
【請求項１６】
前記シートは、前記複数のメディカル・プロシージャ・ツールの少なくとも１つの使用に関する少なくとも１つの注意書きについての、色ベースのキャプションをさらに含み、前記色ベースのキャプションに対応する色は、リストされたメディカル・プロシージャ・ツールのうち対応するメディカル・プロシージャ・ツールを強調表示する、請求項１記載のキット。
【請求項１７】
前記注意書きは、ラテックスが存在することを含む、請求項１６記載のキット。
【請求項１８】
前記リストは、前記キット内に含まれない少なくとも１つのメディカル・プロシージャ・ツールをさらに含む、請求項１記載のキット。
【請求項１９】
前記シートは、前記キット内に含まれない前記複数のメディカル・プロシージャ・ツールの少なくとも１つに関するエンドユーザが選択可能な未選択のフィールドをさらに含む、請求項１８記載のキット。
【請求項２０】
前記シートは、ネットワーク・アドレスを少なくとも部分的に含む光学的コードをさらに含む、請求項１記載のキット。
【請求項２１】
前記ネットワーク・アドレスは、前記エンドユーザが選択可能な未選択のフィールドに対してなされたユーザの選択に関する情報を受信するための施設に対応する、請求項２０記載のキット。
【請求項２２】
前記外容器は、手でつかめる取っ手及び腕を受け入れるスリーブを含む、請求項１記載のキット。
【請求項２３】
前記手でつかめる取っ手は、前記腕を受け入れるスリーブにおいて形成されている、請求項２２記載のキット。
【請求項２４】
前記手でつかめる取っ手は、前記手でつかめる取っ手をつかむために一方の手の指を受け入れる隙間のペアを含む、請求項２２又は２３記載のキット。
【発明の詳細な説明】
【技術分野】
【０００１】
本出願は、２０１２年７月１９日出願の米国特許出願第１３／５５２７４１号の継続であり、当該出願の優先権を主張し、その全体が参照によって本明細書に盛り込まれる。
【０００２】
本発明は、一般に、メディカル・プロシージャにおいて使用されるカスタム・プロシージャ・キットに関する。
【背景技術】
【０００３】
医師、看護師、及び外科医などの多くの医療サービス提供者は、しばしばサージカル・パック、サージカル・キット、及び／又は減菌プロシージャ・トレイと呼ばれるプロシージャ・キットを使用する。プロシージャ・キットは、特定の外科的手術に有用な、多様なツール及び／又は器具を含む。ツールは、一般に使い捨てであり、カバー、ガウン、タオル、ガーゼ、チューブ、注射器などの消耗品を含み得る。一例として、特定の病院向けの虫垂切除術用サージカル・パックは、その手術を実施するための、病院によって指定される２０〜３０個のツールを含み得る。虫垂切除術が予定されると、１つの虫垂切除術用サージカル・キットが倉庫から取り出され、手術室に運ばれる。外科医及び看護師は、一般に、手術の間、複数のツールのうちの少なくとも一部を使用し、手術後に、それらツールの全てを廃棄する。
【０００４】
そのような多くのサージカル・パックは、顧客固有の要求に応じて、カスタマイズされ、パックされる。様々な顧客が、手術ごとに、様々なコンポーネントを必要とする場合がある。例えば、１つの病院は、分解性縫合材料を用いて創傷を縫合し得るが、別の病院は、非分解性縫合材料を好む場合がある。いくつかの製造業者は、何万個もの様々な種類のサージカル・パックを提供する。
【発明の概要】
【発明が解決しようとする課題】
【０００５】
（汎用的に提供されているものであるか、又はカスタマイズされて提供されているものであるかに関わらず）サージカル・パックに関連する１つの問題は、例えば、１つの特定の手術用のサージカル・パックが、異なる種類の手術用に誤って開けられた場合、又は、サージカル・パックが、所与のサービス提供者により何らかの理由でいつも決まって使用されないツールを含む場合、余分な廃棄物を生み出す可能性があることである。
【０００６】
さらに、所定の手術用のサージカル・パックは、２０〜３０個のアイテムしか含まないこともあるのに対し、いくつかのサージカル・パックは、２００個ものツールを含むことがある。したがって、多くのサージカル・パックは、かなり大きくかさばったものになる傾向があり、人が倉庫から手術室に１以上のサージカル・パックを運ぶ間、そのサージカル・パックを扱うのは困難となる。本出願人は、このような観点で、既存のアプローチが大幅な改善の余地を残していることを見出した。
【課題を解決するための手段】
【０００７】
上述の必要性は、特に図面と併せて検討される場合において、以下の詳細な説明で記載されるカスタム・プロシージャ・キットが提供されることで、少なくとも部分的に満たされる。
【０００８】
一般的に言うと、様々な実施形態が、カスタム・プロシージャ・キットを含む。本明細書において使用されるとき、「カスタム」という用語は、意図されたジャンルのメディカル・プロシージャ、プロシージャに関する所望のバリア保護レベル（barrier  protection  level）、並びに／又は、病院／外科センタ及び／若しくはエンドユーザの特定の嗜好といった複数の変数（variable）に基づいて、キットの中身が選択され、且つ／又は変更され得る、という事実を指す。キットは、複数のメディカル・プロシージャ・ツールと、ラップされたツールを形成するために、複数のメディカル・プロシージャ・ツールの周りにラップされるカバーと、を備える。外容器が、ラップされたツールの全周に配置され、少なくとも１つのシートが、外容器とラップされたツールとの間に配置される。シートは、複数のメディカル・プロシージャ・ツールのリストと、複数のメディカル・プロシージャ・ツールのうち少なくとも１つに関するエンドユーザが選択可能な未選択のフィールドとを含む。
【０００９】
シートは、エンドユーザが選択可能な未選択のフィールドの目的を識別するためのテキストをさらに含んでもよい。１つのアプローチにより、その目的は、キット内の他のメディカル・プロシージャ・ツールが使用されたメディカル・プロシージャの間に、使用されなくなった特定のメディカル・プロシージャ・ツールを識別することである。
【００１０】
キットは、所与のプロシージャ用の適切なキットの選択と、手術室へのキットの物理的運搬とを容易にする様々な特徴を含んでもよい。１つのアプローチにより、外容器及びシートのうちの少なくとも１つは、少なくとも１つのマーカをさらに含み、マーカは、複数のメディカル・プロシージャ・ツールが特に関連する特定のジャンルのメディカル・プロシージャを示す色を含む。別のアプローチに従うと、マーカは、キット内の複数のメディカル・プロシージャ・ツールの少なくとも１つのバリア保護レベルを示す色を含む。別のアプローチにより、外容器は、手でつかめる取っ手、及び／又は、腕を受け入れるスリーブを含む。
【００１１】
これらの教示は、実際、かなり柔軟かつ拡張性があり、多様な既存のカスタム・プロシージャ・キット及び／又はサージカル・パックを利用するのに大いに役立つことができる。このようなカスタム・プロシージャ・キットはまた、特定のジャンルのメディカル・プロシージャに関する関連するメディカル・プロシージャ・ツールを含む適切なキットの選択を促進し且つ確実にするのを大いに容易にすることができる。これは、効果的にコストを低減させ、誤って開けられたキットに関連する廃棄物及び不要なツールを含むキットに関連する廃棄物を最小にすることができる。
【００１２】
これらの利点及び他の利点は、以下に続く詳細な説明を深く検討することで、より明らかになり得る。図面を参照すると、これらの教示の多くと適合する種々の例示的なカスタム・プロシージャ・キットが提供される。
【図面の簡単な説明】
【００１３】
【図１】本発明の様々な実施形態に従って構成されたキットの概略図。
【図２】本発明の様々な実施形態に従って構成されたキットの正面図。
【図３】本発明の様々な実施形態に従って構成されたキットの斜視図。
【図４】本発明の様々な実施形態に従って構成されたキットの正面図。
【図５】本発明の様々な実施形態に従って構成されたキットの部分斜視図。
【図６】本発明の様々な実施形態に従って構成されたキットの部分斜視図。
【図７】本発明の様々な実施形態に従って構成されたシートの概略図。
【図８】本発明の様々な実施形態に従って構成されたシートの正面図。
【発明を実施するための形態】
【００１４】
本発明の様々な実施形態をより障害が少ない形で見ることを容易にするために、商業的に実現可能な実施形態において有用である又は必要である一般的ではあるがよく理解された要素は、しばしば示されていない。所定の動作及び／又はステップが、特定の発生順序で記載され又は示され得るが、当業者は、順序に関するそのような特異性は実際には必要ないことを理解するであろう。本明細書において使用される用語及び表現は、本明細書において異なる特定の意味で説明される場合を除いて、前述したような当業者によりそのような用語及び表現に与えられる通常の技術的意味を有する。
【００１５】
図１〜図３を参照すると、１つのアプローチにより、キット１００は、複数のメディカル・プロシージャ・ツール２００と、ラップされたツール２０１を形成するために、複数のメディカル・プロシージャ・ツール２００の周りにラップされるカバー３００と、ラップされたツール２０１の全周に配置された外容器４００と、外容器４００とラップされたツール２０１との間に配置された少なくとも１つのシート５００と、を含む。
【００１６】
当業者により容易に理解されるように、本明細書において使用されるとき、「メディカル・プロシージャ・ツール」という用語は、メディカル・プロシージャの間において有用なアイテムを広義に指す。そのようなアイテムは、器具、衣類、及び任意の数の多岐にわたるアイテムなどのアイテムを含み得るが、これらに限定されるものではない。キット１００内に含めることができるメディカル・プロシージャ・ツール２００の例として、チューブ、トレイ、包帯材料、メス、注射器、ニードルおよびブレードの廃棄装置、ドレープ、クランプ、縫合器具、消毒剤、抗菌性のクリームおよびローション、マスク、手袋などが挙げられる。一般に、複数のメディカル・プロシージャ・ツール２００は、手術室のタオル、ガウン、ドレープ、吸込チューブ、および吸引チップの少なくとも１つを含む。複数のメディカル・プロシージャ・ツール２００はまた、しばしば、プラスチック製容器、注射器、ニードル、および外科器具の少なくとも１つを含む。
【００１７】
キットは、特定のジャンルのメディカル・プロシージャ用に、且つ／又は、特定の病院／外科センタ及び／又はエンドユーザの嗜好に従って、カスタマイズされ得る。したがって、カスタマイズされるメディカル・プロシージャのジャンル、並びに／又は、病院／外科センタ及び／若しくはエンドユーザの特定の嗜好に応じて、キット１００内には、上記で挙げた例以外の、又は、上記で挙げた例に加えて、さらなるメディカル・プロシージャ・ツール２００を含めてもよいことが当業者には明白であろう。
【００１８】
１つのアプローチにより、キット１００は使い捨てである。すなわち、メディカル・プロシージャ・ツール２００の各々を含むキット１００内の各アイテムは、プロシージャの間に使用され、その後廃棄されることが意図されている。あるいは、キット１００内の１以上のアイテムが、再利用可能であってもよい。
【００１９】
１つのアプローチにより、キット１００内のメディカル・プロシージャ・ツール２００のうちの１以上は、キット１００の製造の間に滅菌プロセスを受け、滅菌されている。例えば、一実施形態では、メディカル・プロシージャ・ツール２００のいくつかは、滅菌されているが、メディカル・プロシージャ・ツール２００の他のものは、滅菌されていない。他の実施形態では、キット１００内のメディカル・プロシージャ・ツール２００の全てが、滅菌されていてもよいし、又は、滅菌されていなくてもよい。
【００２０】
図１〜図３を再び参照すると、ラップされたツール２０１を形成するために、メディカル・プロシージャ・ツール２００は、カバー３００によりラップされる。カバー３００は、プラスチック、綿、リネン、紙、及びそれらの組合せなど、多様な種類の材料のいずれかにより形成することができる。１つのアプローチにより、カバー３００は、多様な状況で医療専門家により広く使用されているようなＣＳＲ（Central  Sterile  Reprocessing）ラップである。
【００２１】
一実施形態において、カバー３００は、シールし且つ不要なデブリがキット１００を汚染するのを防止するために、キット１００の周りにラップされる。カバー３００は、キット１００を開けて露出するために、それに応じて、折り畳まれていないものとすることができる。カバー３００は、様々なサイズ及び形状とすることができる。例示的な実施形態では、カバー３００は、キット１００を完全に包み込むように、キット１００の周りをラップすることができるほど十分に大きい。別の実施形態では、カバー３００は、キット１００の周りを複数回完全にラップすることができるほど十分に大きい。
【００２２】
いくつかの実施形態では、カバー３００自体が、メディカル・プロシージャにおいて使用され得る。１つのアプローチにより、カバー３００は、患者サポート表面カバー（patient  support  surface  cover）を含む。一実施形態において、患者サポート表面カバーの少なくとも一面は、滅菌されている。例えば、一実施形態において、メディカル・プロシージャ・ツール２００に面するカバー３００の内側表面は、滅菌されている。
【００２３】
別のアプローチにより、カバー３００を使用して、キット１００の中身が広げられ得る範囲にわたって表面を覆うことができる。メディカル・プロシージャ・ツール２００に面するカバー３００の内側表面が滅菌されている用途では、カバー３００を使用して、メディカル・プロシージャの間にキット１００の中身を取り出してその後使用するために、キット１００の中身を置くことができる滅菌領域（sterile  field）を提供することができる。
【００２４】
図１〜図３を再び参照すると、外容器４００は、ラップされたツール２０１の全周に配置される。図２に最良に示されるように、１つのアプローチにより、外容器４００は、少なくとも実質的に透明である少なくとも一部分４０１を有する。ここで、シート５００は、少なくとも実質的に透明である少なくとも一部分４０１を介して目に見えるように配置される。別のアプローチにより、外容器４００は、プラスチック製シートから構成される。一実施形態において、外容器４００は、ラップされたツール２０１の周りに密接にフィットするようなサイズに形成される。そのような場合、外容器４００は、ラップされたツール２０１と外容器４００との間のシート５００の位置を固定するのを助けることができる。それにより、シート５００を読みやすくすることができる。
【００２５】
図１〜図３に示されるように、適切なキット１００の識別及び選択を容易にするために、外容器４００は、好ましくは、複数のメディカル・プロシージャ・ツール２００が特に関連する特定のジャンルのメディカル・プロシージャを示す色４０２を含む。一実施形態において、例えば、外容器４００の一部分が色付きのプラスチック材料を含み得るように、色４０２は、外容器４００と統合されてもよい。図４に示されるように、別の実施形態において、外容器４００は、例えば、外容器４００に貼り付けられたステッカ又はラベルなどの、少なくとも１つのマーカ４０３を含んでもよい。ここで、マーカ４０３は、色４０２を含む。
【００２６】
別のアプローチにより、色４０２は、例えば、サージカル・ガウン、ドレープ、又はマスクといった、キット１００内における複数のメディカル・プロシージャ・ツール２００の少なくとも１つのバリア保護レベルを示す。バリア保護レベルとは、体液及び感染性の材料の侵入に対して保護する、アイテムの能力を示す。バリアの有効性は、患者及びヘルスケア従事者を保護し且つ感染性の材料の伝染を防止するのを助ける際に重要なものとして認識されている。
【００２７】
バリア保護レベルに関する標準を確立した１つの機関が、米国医療機器振興協会（「ＡＡＭＩ」）である。ＡＡＭＩ標準は、血液、体液、及び他の可能性のある感染性の材料への露出が生じ得る外科手術及び他のヘルスケア・プロシージャの間に、滅菌領域を維持し且つヘルスケア従事者を保護する助けとなる。このＡＡＭＩ標準は、ヘルスケア施設において使用されるガウン及びドレープなどの保護衣類に関する分類と、関連する最小限の要件とのシステムを、それらの液体に対するバリア性能に基づいて確立している。
【００２８】
当業者により容易に理解されるように、「色」という用語は、本明細書において、赤色、青色、黄色などのカテゴリとともに、白色、黒色、灰色などの色調を有していない色を含む光のスペクトルから導出される視覚的に知覚可能な特性を指す。図における特定の色の表示は、例示の目的に過ぎない。
【００２９】
さらに別のアプローチに従うと、例えば、図３に示されるように、外容器４００は、キットが特に関連する特定のジャンルのメディカル・プロシージャを示すためのテキスト４０４をさらに含む。
【００３０】
別の側面に従うと、外容器４００は、倉庫から手術室へキット１００を物理的に運ぶのを容易にするためのストラップ又は取っ手４０５を含む。図５を参照すると、一実施形態において、外容器４００は、手でつかめる取っ手４０６を含む。図６に示されるように、別の実施形態において、外容器４００は、腕を受け入れるスリーブ４０７を含む。さらに別の実施形態において、図３に示されるように、手でつかめる取っ手４０６は、腕を受け入れるスリーブ４０７において形成される。例えば、図３に示されるように、手でつかめる取っ手４０６は、図５に示されるのと同様に手でつかめる取っ手４０６をつかむために人の一方の手の指を受け入れることができる隙間のペア４０８ａ、４０８ｂを含んでもよい。一実施形態において、隙間のペア４０８ａ、４０８ｂは、対向する凹面を有して湾曲している。さらに別の実施形態において、例えば、図２に示されるように、前述の色４０２及び／又はテキスト４０４は、キットが棚に置かれた場合にそのキットを容易に識別することが可能となるように、取っ手４０５の少なくとも一部分に組み込まれてもよい。
【００３１】
図１及び図２に示されるように、キット１００は、外容器４００とラップされたツール２０１との間に配置される少なくとも１つのシート５００をさらに含む。このシート５００は、紙製材料又はプラスチック製材料などの任意の適切な材料から構成することができる。１つのアプローチにより、シート５００は、可撓性であり、例えば、ラップされたツール２０１の形状に容易に順応する。シート５００のサイズは、必要に応じて変わり得る。本教示は、例えば、膨大な量のコンテンツを提供するために、２以上のシートを利用することも提供する。図７及び図８に示されるように、シート５００は、キット１００内に含まれる複数のメディカル・プロシージャ・ツール２００のリスト５０１を含む。リスト５０１にはまた、キット１００内に含まれる各種類のメディカル・プロシージャ・ツール２００の数量を含めてもよい。
【００３２】
例えば、図７及び図８に示されるように、１つのアプローチにより、リスト５０１は、リストされたメディカル・プロシージャ・ツール２００の少なくとも１つに関するエンドユーザが選択可能な未選択のフィールド５０２を含む。一実施形態において、リスト５０１は、リストされたメディカル・プロシージャ・ツール２００ごとに、エンドユーザが選択可能な未選択のフィールド５０２を含む。
【００３３】
エンドユーザが選択可能な未選択のフィールド５０２は、エンドユーザがフィールドを選択することを可能とする任意の適切な形態をとることができる。例示的な一実施形態において、エンドユーザが選択可能な未選択のフィールド５０２は、未チェックのチェックボックスを含む。当業者により容易に理解されるように、本明細書において使用される「チェックボックス」という用語は、ボックスすなわち正方形に加え、例えば、円、楕円、長方形などを含む形状を広義に指す。別の実施形態において、この点でフィールド５０２の目的が明確な限り、エンドユーザが選択可能な未選択のフィールド５０２は、例えば、線又は単なるスペースを含み得る。エンドユーザが選択可能なフィールド５０２は、フィールドを強調表示するための、あるいは、エンドユーザの注意を引き付けるための、色又はマーカを含み得る。
【００３４】
さらに別のアプローチにより、リスト５０１は、キット１００内に含まれない少なくとも１つのメディカル・プロシージャ・ツール２００をさらに含む。キット１００内に含まれないがリスト５０１には提供される少なくとも１つのメディカル・プロシージャ・ツール２００は、例えば、特定のジャンルのメディカル・プロシージャの間において、又は、特定の病院／外科センタ及び／又は特定のエンドユーザによりいつも決まって使用され得る容易に入手可能な滅菌されている又は滅菌されていないアイテムであり得る。一実施形態において、シート５００は、キット１００内に含まれないがリスト５０１において識別されるメディカル・プロシージャ・ツール２００の少なくとも１つに関するエンドユーザが選択可能な未選択のフィールド５０２をさらに含む。別の実施形態において、リスト５０１は、リストされたメディカル・プロシージャ・ツール２００の少なくとも１つがキット１００内に含まれないことを示すインジケーションを含む。
【００３５】
別の実施形態において、シート５００は、エンドユーザが選択可能な未選択のフィールド５０２の目的を識別するためのテキストをさらに含む。１つのアプローチにより、エンドユーザが選択可能な未選択のフィールド５０２の目的は、キット１００内の他のメディカル・プロシージャ・ツール２００が使用されたメディカル・プロシージャの間に、使用されなくなった特定のメディカル・プロシージャ・ツール２００を識別することである。
【００３６】
エンドユーザが選択可能なフィールド５０２を効果的に使用して、キット１００内に含まれる任意のメディカル・プロシージャ・ツール２００と、メディカル・プロシージャの間にいつも決まって追加される任意の個別の容易に入手可能な製品との利用又は未利用に関する最新の現在のデータを継続的に取得することができる。外科医及びスタッフが参加し且つ／又は離れ、プロシージャが変更され、新たなプロシージャがもたらされるなど、医療活動の状況は絶えず変化しているので、コンポーネントの利用に関するこのデータを一貫して継続的に取得することは有用であり得る。シート５００のエンドユーザが選択可能なフィールド５０２は、まさにこれを容易にする。
【００３７】
１つのアプローチにより、メディカル・プロシージャの終了時に、エンドユーザ又は他の人が、そのプロシージャの間に使用されなかった、リスト５０１に提供されている任意のメディカル・プロシージャ・ツール２００のエンドユーザが選択可能なフィールド５０２を選択する。エンドユーザはまた、シート５００において、プロシージャの間に追加された容易に入手可能な追加のコンポーネントを書き込むこともできる。完成したシート（及び／又はシートに入力されたデータ）は、物理的又は電子的に記録して収集することができる。また、完成したシート（及び／又はシートに入力されたデータ）は、例えば、所定のメディカル・プロシージャ・ツール２００を除外することにより、又は、新たなツールをキット１００に追加することにより、キット１００をさらにカスタマイズするために、利用することができる。
【００３８】
１つのアプローチにより、例えば、図７及び図８に示されるように、シート５００は、例えば、ＵＰＣバーコード又はＱＲコード（登録商標）などの光学的コード５０３をさらに含む。光学的コード５０３は、好ましくは、ネットワーク・アドレスを少なくとも部分的に含む。ネットワーク・アドレスは、エンドユーザが選択可能なフィールド５０２に対してなされたエンドユーザの選択に関する情報を受信するための施設又はサービスに対応し得る。
【００３９】
図７及び図８に示されるように、別のアプローチにより、シート５００は、複数のメディカル・プロシージャ・ツール２００の少なくとも１つの使用に関する少なくとも１つの注意書きについての、色ベースのキャプション６００をさらに含む。色ベースのキャプション６００に対応する色は、リストされたメディカル・プロシージャ・ツール２００のうち対応するメディカル・プロシージャ・ツール２００を強調表示する。１つのアプローチにより、色ベースのキャプション６００により表される注意書きは、ラテックスが存在することを含む。
【００４０】
例えば、図７及び図８に示されるように、別のアプローチにより、シート５００は、外容器４００の色４０２と合致する色５０４を含む。外容器４００の色４０２と同様に、シート５００の色５０４は、例えば、色付きの紙又はインクにより提供されるように、シート５００と統合されてもよいし、又は、色５０４は、例えば、シート５００に貼り付けられたステッカ又はラベルなどのマーカにより提供されてもよい。さらに別のアプローチにより、シート５００はまた、特定のジャンルのメディカル・プロシージャを示すためのテキスト５０６を含んでもよい。
【００４１】
これらの教示は、実際かなり柔軟である。一例として、シート５００のリスト５０１は、キット１００内に含まれるメディカル・プロシージャ・ツール２００の数に応じて、その長さが変わり得る。同様に、メディカル・プロシージャ・ツール２００自体も、エンドユーザの嗜好に基づいて、その数及び種類が変わり得る。
【００４２】
さらに、これらの教示は、特定のジャンルのメディカル・プロシージャに関する関連するメディカル・プロシージャ・ツール２００を含む適切なキット１００の選択を促進し且つ確実にするのによく適している。このようなアプローチは、効果的にコストを低減させ、誤って開けられたキットに関連する廃棄物及び余分なツールを含むキットに関連する廃棄物を最小にすることができる。
【００４３】
本発明の精神及び範囲から逸脱することなく、多様な変形、変更、及び組合せが、上述した実施形態に対して施され、そのような変形、変更、及び組合せが、本発明のコンセプトの範囲内にあるものとしてみなされるべきであることを当業者は認識するであろう。
【図１】
0006526559.tif 000002
【図２】
0006526559.tif 000003
【図３】
0006526559.tif 000004
【図４】
0006526559.tif 000005
【図５】
0006526559.tif 000006
【図６】
0006526559.tif 000007
【図７】
0006526559.tif 000008
【図８】
0006526559.tif 000009